(57)【要約】【課題】接続された画像供給装置を制御することが可能なプロジェクターを提供する。【解決手段】プロジェクター１００は、画像情報に基づいた画像を投写するプロジェクターであって、画像供給装置（ＰＣ３００）と通信を行う通信部１４１と、通信部１４１を介して、画像供給装置の動作を制御するための制御情報を送信する通信制御部（制御部１２０）と、を備え、通信制御部は、画像供給装置に対して、当該画像供給装置の起動を指示する第１の制御情報を送信し、第１の制御情報に基づいて画像供給装置が起動した後、画像供給装置に対して、画像供給装置に記憶されたプログラムである、プロジェクターに画像情報を送信するための画像送信プログラム（画像転送プログラム３３０ｂ）を起動させる第２の制御情報を送信する。【選択図】図２
2013225741.tif 000002
【特許請求の範囲】
【請求項１】
画像情報に基づいた画像を投写するプロジェクターであって、
画像供給装置と通信を行う通信部と、
前記通信部を介して、前記画像供給装置の動作を制御するための制御情報を送信する通信制御部と、
を備え、
前記通信制御部は、
前記画像供給装置に対して、当該画像供給装置の起動を指示する第１の制御情報を送信し、
前記第１の制御情報に基づいて前記画像供給装置が起動した後、前記画像供給装置に対して、
前記画像供給装置に記憶されたプログラムである、前記プロジェクターに画像情報を送信するための画像送信プログラムを起動させる第２の制御情報を送信することを特徴とするプロジェクター。
【請求項２】
請求項１に記載のプロジェクターであって、
前記通信制御部は、
前記画像供給装置の前記画像送信プログラムが起動した後、前記画像供給装置に対して、
前記画像送信プログラムに画像情報の送信を開始させるための第３の制御情報を送信することを特徴とするプロジェクター。
【請求項３】
請求項１または２に記載のプロジェクターであって、
前記通信部は、前記画像供給装置とネットワークを介して接続されていることを特徴とするプロジェクター。
【請求項４】
請求項３に記載のプロジェクターであって、
前記通信制御部は、複数の前記画像供給装置に対して制御情報を送信し、複数の前記画像供給装置の動作を制御することを特徴とするプロジェクター。
【請求項５】
請求項１乃至４のいずれか一項に記載のプロジェクターであって、
計時を行う計時部と、
前記画像供給装置を所定の時刻に所定の動作をさせるためのスケジュールを記憶するスケジュール記憶部と、
をさらに備え、
前記通信制御部は、前記計時部により計時された時刻と前記スケジュール記憶部に記憶された前記スケジュールとに基づいて、前記画像供給装置に制御情報を送信して前記画像供給装置の動作を制御することを特徴とするプロジェクター。
【請求項６】
請求項１乃至５のいずれか一項に記載のプロジェクターと、
前記プロジェクターとネットワークを介して接続されて、前記プロジェクターに画像情報を送信するための前記画像送信プログラムを記憶する前記画像供給装置と、
を備えることを特徴とするプロジェクターシステム。
【請求項７】
画像供給装置と通信を行う通信部と、前記通信部を介して、前記画像供給装置の動作を制御するための制御情報を送信する通信制御部と、を備え、画像情報に基づいた画像を投写するプロジェクターの制御方法であって、
前記通信制御部が、前記画像供給装置に対して、当該画像供給装置の起動を指示する第１の制御情報を送信する第１制御情報送信ステップと、
前記第１制御情報送信ステップにより、前記第１の制御情報に基づいて前記画像供給装置が起動した後で、前記通信制御部が、前記画像供給装置に対して、
前記画像供給装置に記憶されたプログラムである、前記プロジェクターに画像情報を送信するための画像送信プログラムを起動させる第２の制御情報を送信する第２制御情報送信ステップと、
を備えることを特徴とするプロジェクターの制御方法。
【発明の詳細な説明】
【技術分野】
【０００１】
本発明は、プロジェクター、プロジェクターシステム、およびプロジェクターの制御方法に関する。
【背景技術】
【０００２】
従来、プロジェクターと画像供給装置としてのコンピューター（ＰＣ）等に、それぞれ内部時計およびタイマーを有して、プロジェクターとコンピューターの起動や画像投写のタイミングを合わせるシステムが知られている。
【０００３】
また、既定の動作スケジュール情報に従って、外部の映像再生装置の起動、終了動作を制御するプロジェクターが開示されている（特許文献１）。このようなプロジェクターによれば、操作者が関わることなく、プロジェクターによる映像投写を実現することができる。
【０００４】
また、ＷＯＬ（Wake On Lan）という技術が知られている。ＷＯＬとは、ＬＡＮに接続されたコンピューターを、ネットワーク経由で他のコンピューターから起動する機能である。コンピューターがＷＯＬに対応していれば、ネットワーク上の複数のコンピューターを起動することができる。
【先行技術文献】
【特許文献】
【０００５】
【特許文献１】特開２００２−４４６２７号公報
【発明の概要】
【発明が解決しようとする課題】
【０００６】
プロジェクターとコンピューター（ＰＣ）の動作タイミングを同期させるために、プロジェクターとコンピューターにそれぞれ内部時計およびタイマーを有する態様では、プロジェクターの内部時計とコンピューターの内部時計が一致していない場合には、起動や画像投写のタイミングがずれる場合があった。また、特許文献１に記載のプロジェクターでは、接続されたコンピューターに対して、詳細な制御を行うことができないという課題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、画像情報に基づいた画像を投写するプロジェクターであって、画像供給装置と通信を行う通信部と、前記通信部を介して、前記画像供給装置の動作を制御するための制御情報を送信する通信制御部と、を備え、前記通信制御部は、前記画像供給装置に対して、当該画像供給装置の起動を指示する第１の制御情報を送信し、前記第１の制御情報に基づいて前記画像供給装置が起動した後、前記画像供給装置に対して、前記画像供給装置に記憶されたプログラムである、前記プロジェクターに画像情報を送信するための画像送信プログラムを起動させる第２の制御情報を送信することを特徴とする。
【０００９】
このようなプロジェクターによれば、通信制御部は、画像供給装置の起動を指示する第１の制御情報を送信して、画像供給装置を起動させる。さらに、通信制御部は、第２の制御情報を送信して、プロジェクターに画像情報を送信するための画像送信プログラムを起動させる。これにより、プロジェクターは、通信可能な画像供給装置に対して、詳細な制御を行うことができる。
【００１０】
［適用例２］上記適用例に係るプロジェクターにおいて、前記通信制御部は、前記画像供給装置の前記画像送信プログラムが起動した後、前記画像供給装置に対して、前記画像送信プログラムに画像情報の送信を開始させるための第３の制御情報を送信することを特徴とする。
【００１１】
このようなプロジェクターによれば、通信制御部は、画像供給装置の画像送信プログラムが起動した後、画像供給装置に対して、第３の制御情報を送信して、画像送信プログラムに画像情報の送信を開始させる。これにより、プロジェクターは、画像情報を受信して投写することが可能になる。
【００１２】
［適用例３］上記適用例に係るプロジェクターにおいて、前記通信部は、前記画像供給装置とネットワークを介して接続されていることを特徴とする。
【００１３】
このようなプロジェクターによれば、通信部は、画像供給装置とネットワークを介して接続されている。これにより、同一ネットワークセグメントに接続されている画像供給装置の動作を制御することができる。
【００１４】
［適用例４］上記適用例に係るプロジェクターにおいて、前記通信制御部は、複数の前記画像供給装置に対して制御情報を送信し、複数の前記画像供給装置の動作を制御することを特徴とする。
【００１５】
このようなプロジェクターによれば、ネットワークを介して、複数の画像供給装置の動作を制御することができる。
【００１６】
［適用例５］上記適用例に係るプロジェクターにおいて、計時を行う計時部と、前記画像供給装置を所定の時刻に所定の動作をさせるためのスケジュールを記憶するスケジュール記憶部と、をさらに備え、前記通信制御部は、前記計時部により計時された時刻と前記スケジュール記憶部に記憶された前記スケジュールとに基づいて、前記画像供給装置に制御情報を送信して前記画像供給装置の動作を制御することを特徴とする。
【００１７】
このようなプロジェクターによれば、通信制御部は、時刻とスケジュールとに基づいて、画像供給装置に制御情報を送信して画像供給装置の動作を制御する。これにより、スケジュールに従って、画像供給装置を詳細に制御することが可能になる。
【００１８】
［適用例６］本適用例に係るプロジェクターシステムは、上記適用例に係るプロジェクターと、前記プロジェクターとネットワークを介して接続されて、前記プロジェクターに画像情報を送信するための前記画像送信プログラムを記憶する前記画像供給装置と、を備えることを特徴とする。
【００１９】
このようなプロジェクターシステムによれば、プロジェクターは、画像供給装置を起動して、さらに、画像送信プログラムを起動させることができる。つまり、画像供給装置に対して、詳細な制御を行うことができる。
【００２０】
［適用例７］本適用例に係るプロジェクターの制御方法は、画像供給装置と通信を行う通信部と、前記通信部を介して、前記画像供給装置の動作を制御するための制御情報を送信する通信制御部と、を備え、画像情報に基づいた画像を投写するプロジェクターの制御方法であって、前記通信制御部が、前記画像供給装置に対して、当該画像供給装置の起動を指示する第１の制御情報を送信する第１制御情報送信ステップと、前記第１制御情報送信ステップにより、前記第１の制御情報に基づいて前記画像供給装置が起動した後で、前記通信制御部が、前記画像供給装置に対して、前記画像供給装置に記憶されたプログラムである、前記プロジェクターに画像情報を送信するための画像送信プログラムを起動させる第２の制御情報を送信する第２制御情報送信ステップと、を備えることを特徴とする。
【００２１】
このようなプロジェクターの制御方法によれば、プロジェクターは、画像供給装置を起動して、さらに、画像送信プログラムを起動させることができる。つまり、画像供給装置に対して、詳細な制御を行うことができる。
【００２２】
また、上述したプロジェクター、プロジェクターシステム、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２３】
【図１】実施形態に係るプロジェクターとＰＣとがネットワーク経由で接続されている状態を表す説明図。
【図２】実施形態に係るプロジェクターおよびＰＣの概略構成を示すブロック図。
【図３】プロジェクターおよびＰＣの動作を表すシーケンス図。
【図４】第１プロトコルを表す説明図であり、（ａ）は、パケットデータ全体を表す説明図、（ｂ）は、プロトコルヘッダー部を表す説明図、（ｃ）は、プロトコルデータ部を表す説明図。
【図５】ＰＣの画像転送プログラムを起動させる場合のプロトコルとパケットデータの説明図であり、（ａ）は、プロジェクターのプロトコルの説明図、（ｂ）は、ＰＣのプロトコルの説明図。
【図６】ＰＣの画像転送プログラムに画像コンテンツを再生させる場合のプロトコルとパケットデータの説明図であり、（ａ）は、プロジェクターのプロトコルの説明図、（ｂ）は、ＰＣのプロトコルの説明図。
【図７】ＰＣをシャットダウンさせる場合のプロトコルとパケットデータの説明図であり、（ａ）は、プロジェクターのプロトコルの説明図、（ｂ）は、ＰＣのプロトコルの説明図。
【発明を実施するための形態】
【００２４】
（実施形態）
以下、実施形態として、プロジェクターおよび画像供給装置としてのパーソナルコンピューター（ＰＣ）について説明する。
【００２５】
図１は、本実施形態に係るプロジェクターとＰＣとがネットワーク経由で接続されている状態を表す説明図である。なお、このようなプロジェクターとＰＣとの組み合わせをプロジェクターシステム１とも呼ぶ。
図１に示すように、プロジェクター１００、プロジェクター２００、ＰＣ３００、ＰＣ４００、ＰＣ５００は、同一のネットワークセグメント（以降、「ネットワークＮＷ）と呼ぶ。）上に接続されている。
【００２６】
図２は、本実施形態に係るプロジェクター１００およびＰＣ３００の概略構成を示すブロック図である。
図２では、プロジェクター１００およびＰＣ３００の構成に加えて、ネットワークＮＷに接続されたプロジェクター２００、ＰＣ４００およびＰＣ５００が記載されている。プロジェクター２００は、プロジェクター１００と同様な構成とする。ＰＣ４００およびＰＣ５００は、ＰＣ３００と同様な構成とする。また、ＰＣ５００とプロジェクター２００とは画像を送信するためのアナログＲＧＢケーブルＣで接続されている。
【００２７】
図２に示すように、プロジェクター１００は、画像投写部１１０、制御部１２０、操作部１２１、計時部１２２、記憶部１３０、画像入力部１４０、通信部１４１、画像処理部１５０等を備えている。これらの構成部は、バスＢ１を介して接続されている。
【００２８】
画像投写部１１０は、光源装置１１１、光変調装置としての３つの液晶ライトバルブ１１２Ｒ，１１２Ｇ，１１２Ｂ、投写光学系としての投写レンズ１１３、液晶駆動部１１４等で構成されている。画像投写部１１０は、光源装置１１１から射出された光を、液晶ライトバルブ１１２Ｒ，１１２Ｇ，１１２Ｂで画像光に変調し、この画像光を投写レンズ１１３から投写して投写面ＳＣに画像を表示する。
【００２９】
光源装置１１１は、超高圧水銀ランプやメタルハライドランプ等からなる放電型の光源ランプ１１１ａと、光源ランプ１１１ａが放射した光を液晶ライトバルブ１１２Ｒ，１１２Ｇ，１１２Ｂ側に反射するリフレクター１１１ｂとを含んで構成されている。光源装置１１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１１２Ｒ，１１２Ｇ，１１２Ｂに入射する。
【００３０】
液晶ライトバルブ１１２Ｒ，１１２Ｇ，１１２Ｂは、一対の透明基板間に液晶が封入された液晶パネル等によって構成される。液晶ライトバルブ１１２Ｒ，１１２Ｇ，１１２Ｂは、複数の画素（図示せず）がマトリクス状に配列された矩形状の画素領域を備えており、液晶に対して画素毎に駆動電圧を印加可能になっている。液晶駆動部１１４が、入力される画像情報に応じた駆動電圧を各画素に印加すると、各画素は、画像情報に応じた光透過率に設定される。このため、光源装置１１１から射出された光は、この液晶ライトバルブ１１２Ｒ，１１２Ｇ，１１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１１３によって拡大投写される。
【００３１】
制御部１２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１００の動作を統括制御する。つまり、制御部１２０は、コンピューターとして機能する。
【００３２】
操作部１２１は、ユーザーの入力操作を受け付けるものであり、ユーザーがプロジェクター１００に対して各種指示を行うための複数の操作キーを備えている。本実施形態の操作部１２１が備える操作キーとしては、電源のオン・オフを切り替えるための電源キー、入力端子を切り替えるための入力ソース切替キー、各種設定用のメニュー画像を表示させるメニューキー、メニュー画像における項目の選択等に用いられる上下左右の方向キー、選択した項目を確定させるための決定キー等がある。
【００３３】
ユーザーが操作部１２１の各種操作キーを操作すると、操作部１２１は、この入力操作を受け付けて、ユーザーの操作内容に応じた操作信号を制御部１２０に出力する。なお、操作部１２１として、遠隔操作が可能なリモコン（図示せず）を用いた構成としてもよい。この場合、リモコンは、ユーザーの操作内容に応じた赤外線等の操作信号を発信し、図示しない受信手段がこれを受信して制御部１２０に伝達する。
【００３４】
計時部１２２は、カレンダー機能および時計機能を有しており、日時を計時する。具体的には、計時部１２２は、リアルタイムクロックを有しており、内蔵バッテリー等で計時を行っている。計時する日時の情報は、時刻情報として制御部１２０によって読み出される。
【００３５】
記憶部１３０は、不揮発性のメモリーを有して構成され、スケジュール情報１３０ａ、ＰＣ識別情報１３０ｂ等を記憶する。スケジュール情報１３０ａは、プロジェクター１００の動作に関するスケジュールを表す情報である。制御部１２０は、スケジュール情報１３０ａのスケジュールと計時部１２２が計時する時刻情報とに従って、プロジェクター１００を制御する。スケジュール情報１３０ａの書き込みおよび読み出しは、制御部１２０によって行われる。この記憶部１３０が、スケジュール記憶部に相当する。
【００３６】
ＰＣ識別情報１３０ｂは、プロジェクター１００が制御するＰＣを識別するための情報である。このＰＣ識別情報１３０ｂには、プロジェクター１００が制御するＰＣのＭＡＣアドレスやＩＰアドレス等が記憶されている。ＰＣ識別情報１３０ｂの書き込みおよび読み出しは、制御部１２０によって行われる。
【００３７】
画像入力部１４０は、複数の入力端子（図示せず）を備えており、これらの入力端子には、ビデオ再生装置やパーソナルコンピューター等、図示しない外部の画像供給装置から各種形式の画像情報が入力される。画像入力部１４０は、制御部１２０の指示に応じて入力された画像情報を選択し、選択された画像情報は画像処理部１５０に出力される。
【００３８】
通信部１４１は、図示しない通信端子を介して、ネットワークＮＷに接続されている。通信部１４１は、ＩＰ（Internet Protocol）ネットワークの通信手段を用い、通信端子を介して、外部のＰＣ等の電子機器と通信を行う。具体的には、ＰＣ３００，４００，５００を制御するための制御信号を送信したり、制御信号に対する応答を受信したり、画像投写部１１０から投写するための画像信号を受信したりする。通信部１４１は、制御部１２０の指示に基づき、制御部１２０が生成する制御情報に応じた制御信号を送信する。また、通信部１４１は、受信した制御信号に基づく制御情報を制御部１２０に伝達する。このときの制御部１２０が、通信制御部に相当する。また、通信部１４１は、受信した画像信号に基づく画像情報を画像処理部１５０に伝達する。
【００３９】
画像処理部１５０は、画像入力部１４０や通信部１４１から入力される画像情報を、液晶ライトバルブ１１２Ｒ，１１２Ｇ，１１２Ｂの各画素の階調を表す画像情報、即ち各画素に印加する駆動電圧を規定するための画像情報に変換する。さらに、画像処理部１５０は、制御部１２０の指示に基づいて、変換した画像情報に対して、明るさ、コントラスト、シャープネス、色合い等の画質を調整するための画質調整処理等を行い、処理後の画像情報を液晶駆動部１１４に出力する。
【００４０】
液晶駆動部１１４が、画像処理部１５０から入力される画像情報に従って液晶ライトバルブ１１２Ｒ，１１２Ｇ，１１２Ｂを駆動すると、液晶ライトバルブ１１２Ｒ，１１２Ｇ，１１２Ｂによって画像情報に応じた画像光に変調され、この画像光が投写レンズ１１３から投写される。
【００４１】
次にＰＣ３００の構成について説明する。ＰＣ３００は、制御部３２０、操作部３２１、記憶部３３０、画像生成部３４０、画像出力部３５０、通信部３５１、表示部３６０等を備えている。これらの構成部は、バスＢ２を介して接続されている。
【００４２】
制御部３２０は、ＣＰＵや、各種データ等の一時記憶に用いられるＲＡＭ、不揮発性のＲＯＭやハードディスクドライブ等の記憶装置等を備えており、記憶装置に記憶されているＯＳ（オペレーティングシステム）等の制御プログラムに従ってＣＰＵが動作することによりＰＣ３００の動作を統括制御する。また、制御部１２０は、後述する記憶部３３０に記憶されているアプリケーションプログラムに従ってＰＣ３００の制御を行う。
【００４３】
操作部３２１は、ユーザーからの入力操作を受け付けるキーボードや、マウス等のポインティングデバイスを備えている。
【００４４】
記憶部３３０は、不揮発性のメモリーやハードディスクドライブ等を有して構成され、制御信号解釈プログラム３３０ａ、画像転送プログラム３３０ｂ等を記憶する。制御信号解釈プログラム３３０ａは、プロジェクター１００等から受信した制御信号（要求信号など）を解釈して、制御信号に応じた処理を行うプログラムであり、バックグラウンドで動作する。
【００４５】
また、画像転送プログラム３３０ｂは、ネットワークＮＷを介してプロジェクター１００等に画像コンテンツ（画像情報）を送信するためのプログラムである。画像転送プログラム３３０ｂが、画像送信プログラムに相当する。
【００４６】
画像生成部３４０は、ＶＤＰ（Video Display Processor）、ＧＰＵ（Graphics Processing Unit）或いは統合型チップセット（いずれも図示せず）により構成され、ＰＣ３００の動作状態を示す画像を図示しないＶＲＡＭ（Video RAM）上に描画する。そして、画像生成部３４０は、当該画像に応じた画像信号を画像出力部３５０および表示部３６０に出力することにより、画像出力部３５０および表示部３６０がＰＣ３００の動作状態を示す画像を表示する。
【００４７】
画像出力部３５０には、外部のプロジェクターとケーブルを介した接続を行うための出力端子（図示せず）が備えられている。出力端子からは、画像生成部３４０で生成された画像信号が出力される。なお、本実施形態の画像出力部３５０は、外部のプロジェクターとは接続されていない。
【００４８】
通信部３５１は、ＩＰネットワークの通信手段を用い、通信端子（図示せず）を介して、外部のプロジェクター等の電子機器と通信を行う。具体的には、プロジェクター１００から制御信号を受信したり、制御信号に対する応答を送信したり、画像転送プログラム３３０ｂによって再生される画像コンテンツに基づく画像信号を送信したりする。通信部３５１は、制御部３２０の指示に基づいて通信を行う。そして、通信部３５１は、受信した制御信号に基づく制御情報を制御部３２０に伝達する。また、通信部３５１は、制御部３２０から入力した通信情報を通信信号として送信する。
【００４９】
表示部３６０は、モニター等のディスプレイ装置である。表示部３６０は、画像生成部３４０から入力された画像信号に基づく画像を表示する。
【００５０】
次に、プロジェクター１００，２００、ＰＣ３００，４００，５００がスケジュールに従って行う処理について説明する。
図３は、プロジェクターおよびＰＣの動作を表すシーケンス図である。
【００５１】
プロジェクター１００のスケジュール情報１３０ａに基づき、計時部１２２が計時している時刻が８時（８：００）になると、プロジェクター１００の制御部１２０は、プロジェクター１００自身を起動する（ステップＳ１１）。プロジェクター１００の制御部１２０は、起動が完了するのを待った後、プロジェクター１００の画像入力ソースを、ネットワーク映像ソースに切り替える（ステップＳ１２）。即ち、ネットワークＮＷから画像信号を入力するように切り替える。
【００５２】
プロジェクター１００は、時刻が８時１０分（８：１０）になると、ＰＣ３００およびＰＣ４００を起動させる（ステップＳ１３）。具体的には、プロジェクター１００が、ネットワークＮＷに接続されているＰＣ４００およびＰＣ３００に対して、ＷＯＬ（Wake On Lan）を行う。ＷＯＬでは、ＰＣ４００およびＰＣ３００に対してマジックパケットを送信するが、このＷＯＬにおけるマジックパケットの送信が、第１の制御情報の送信に相当する。
【００５３】
ここで、本実施形態のＰＣ３００，４００，５００は、ＷＯＬに対応しているものとする。なお、本実施形態では、記憶部１３０のＰＣ識別情報１３０ｂとしてＭＡＣアドレスを記憶しているが、ＰＣ３００やＰＣ４００のＭＡＣアドレスが不明な場合には、ＰＣのＩＰアドレスを用いてＡＲＰ要求を送信することにより、ＭＡＣアドレスを取得することができる。
【００５４】
ＰＣ４００は、起動すると、応答をプロジェクター１００に返す（ステップＳ１４）。同様に、ＰＣ３００は、起動すると、応答をプロジェクター１００に返す（ステップＳ１５）。
【００５５】
プロジェクター１００は、ＰＣ３００の起動応答を受信すると、ＰＣ３００に画像転送プログラム３３０ｂの起動要求を送信し、画像送受信用の専用のプロトコル（後述する第１プロトコル）による接続を実行する（ステップＳ１６）。この画像転送プログラム３３０ｂの起動要求が、第２の制御情報に相当する。ＰＣ３００は、画像転送プログラム３３０ｂの起動要求を受信すると、画像転送プログラム３３０ｂを起動し、起動が完了すると、プロジェクター１００に応答を返す（ステップＳ１７）。
【００５６】
プロジェクター１００は、ＰＣ３００から画像転送プログラム３３０ｂの起動完了の応答を受け取ると、ＰＣ３００に、画像コンテンツ（画像情報）の再生開始要求を送信する（ステップＳ１８）。この画像コンテンツの再生開始要求が、第３の制御情報に相当する。ＰＣ３００は、画像コンテンツの再生開始要求を受信すると、画像転送プログラム３３０ｂの画像コンテンツの再生を開始し、プロジェクター１００に応答を返す（ステップＳ１９）。
【００５７】
再生される画像コンテンツに基づく画像信号は、ＰＣ３００からネットワークＮＷを介してプロジェクター１００に入力される。プロジェクター１００は、入力された画像コンテンツに基づく画像を投写する。
【００５８】
ここで、第１プロトコルについて説明する。
図４は、第１プロトコルを表す説明図であり、（ａ）は、パケットデータ全体を表す説明図、（ｂ）は、プロトコルヘッダー部を表す説明図、（ｃ）は、プロトコルデータ部を表す説明図である。
【００５９】
図４（ａ）に示すように、第１プロトコルはアプリケーション層に位置する。第１プロトコルのパケットデータ全体Ｐ１は、プロトコルヘッダー部Ｐ１１およびプロトコルデータ部Ｐ１２を有して構成されている。
【００６０】
図４（ｂ）に示すように、プロトコルヘッダー部Ｐ１１は、バージョンＩＤ（Ｐ１１１）、シーケンスＩＤ（Ｐ１１２）、再送回数（Ｐ１１３）、要求／応答フラグ（Ｐ１１４）、種別ＩＤ（Ｐ１１５）、データ部サイズ（Ｐ１１６）を有して構成されている。
【００６１】
バージョンＩＤは、プロトコルバージョンを表す値である。データフォーマットの変更や拡張などにより上記の構造に差異が生じた場合に、互換性を判別するために使用する。受信側が内部的に持つプロトコルバージョン値と受信したパケット内に設定されたこの値が同じである場合、同一のプロトコルバージョンであり、送受信者間で互換性があると判断することができる。
【００６２】
シーケンスＩＤは、パケットと制御を関連付けるための値である。要求パケット送信側が送信前にシーケンシャルに採番を行い、シーケンスＩＤを設定する。ある制御の要求パケットと対となる応答パケットは、この値が一致している必要がある。すなわち、応答パケット送信側（要求パケット受信側）は、対となる要求パケットのシーケンスＩＤと同じ値を、自身の応答パケットに含めて応答する。
【００６３】
再送回数は、１つの制御に対する要求を何回再送したかを表す値である。バージョンＩＤ、シーケンスＩＤ、要求／応答フラグ、送信者ＩＰアドレスが一致していたとしても、この値が異なっていれば、同一の制御について再送が行われたと判断される。ただし、この値も一致していた場合は、何らかの要因により異常なパケットを受信したと判断される。
【００６４】
要求／応答フラグは、パケットが送信先機器に対しての要求なのか、送信先機器への応答なのかを識別するための値である。本実施形態では、「０ｘ００００」は「要求」とし、「０ｘ０００１」は「応答」とする。
【００６５】
種別ＩＤは、パケットで行う制御の種別を表す値である。本実施形態では、「０ｘ００００」は「特定データ送信要求／応答（ＵＤＰで使用する）」、「０ｘ０００１」は「状態確認要求／応答」、「０ｘ０００２」は「起動・開始要求／応答」、「０ｘ０００３」は「停止・終了要求／応答」とする。
【００６６】
データ部サイズは、後続するプロトコルデータ部のサイズをバイト単位で指定する値である。
【００６７】
図４（ｃ）に示すように、プロトコルデータ部Ｐ１２には、拡張情報が格納されている。拡張情報は、用途が決まっておらず、任意サイズでフリーフォーマットの値である。プロトコルヘッダー部Ｐ１１のデータ部サイズが０バイトの場合、この領域自体が存在しなくてもよい。種別ＩＤと組み合わせて、さらに詳細な制御を要求したり、それに対する結果の詳細を応答したりする。
【００６８】
図３に戻り、プロジェクター２００のスケジュール情報に基づき、時刻が９時（９：００）になると、プロジェクター２００の制御部は、プロジェクター２００自身を起動する（ステップＳ２０）。プロジェクター２００の制御部は、起動が完了するのを待った後、プロジェクター２００の画像入力ソースを、アナログＲＧＢ映像端子（図示せず）に切り替える（ステップＳ２１）。即ち、アナログＲＧＢ映像端子から画像信号を入力するように切り替える。
【００６９】
プロジェクター２００は、時刻が９時１０分（９：１０）になると、ＰＣ５００を起動させる（ステップＳ２２）。具体的には、プロジェクター２００が、ネットワークＮＷに接続されているＰＣ５００に対して、ＷＯＬを行う。ＰＣ５００は、起動すると応答をプロジェクター２００に返す（ステップＳ２３）。
【００７０】
プロジェクター２００は、ＰＣ５００の起動応答を受信すると、ＰＣ５００にアナログＲＧＢ画像の出力を要求する。（ステップＳ２４）。ＰＣ５００は、アナログＲＧＢ画像の出力要求を受信すると、アナログＲＧＢ画像の出力を開始して、プロジェクター２００に応答を返す（ステップＳ２５）。
【００７１】
出力されるアナログＲＧＢ画像に基づく画像信号は、アナログＲＧＢケーブルＣを介してプロジェクター２００に入力される。プロジェクター２００は、入力された画像信号に基づく画像を投写する。
【００７２】
プロジェクター２００は、時刻が９時３０分になると、画像入力ソースをネットワーク映像ソースに切り替える（ステップＳ２６）。これにより、プロジェクター２００のアナログＲＧＢ端子に入力されている画像信号に基づく画像は、投写されなくなる。
【００７３】
画像入力ソースがネットワーク映像ソースに切り替わると、プロジェクター２００は、ＰＣ４００に画像転送プログラム３３０ｂの起動要求を送信し、画像送受信用の専用のプロトコル（第１プロトコル）による接続を実行する（ステップＳ２７）。ＰＣ４００は、画像転送プログラム３３０ｂの起動要求を受信すると、画像転送プログラムを起動し、画像転送プログラムの起動が完了すると、プロジェクター２００に応答を返す（ステップＳ２８）。
【００７４】
プロジェクター２００は、ＰＣ５００にアナログＲＧＢ画像出力の終了を要求する（ステップＳ２９）。ＰＣ５００は、アナログＲＧＢ画像出力の終了要求を受信すると、アナログＲＧＢ画像の出力を終了して、プロジェクター２００に応答を返す（ステップＳ３０）。
【００７５】
プロジェクター２００は、ＰＣ５００からアナログＲＧＢ画像の出力の終了応答を受信し、ＰＣ４００から画像転送プログラムの起動完了の応答を受け取ると、ＰＣ４００に、画像コンテンツ（画像情報）の再生開始要求を送信する（ステップＳ３１）。ＰＣ４００は、画像コンテンツの再生開始要求を受信すると、画像転送プログラムの画像コンテンツを再生開始し、プロジェクター２００に応答を返す（ステップＳ３２）。
【００７６】
ＰＣ４００によって再生される画像コンテンツに基づく画像信号は、ネットワークＮＷを介してプロジェクター２００に入力される。プロジェクター２００は、入力された画像コンテンツに基づく画像を投写する。
【００７７】
ここで、本実施形態の上記シーケンスにおける第１プロトコルの使用例について説明する。なお、プロジェクター１００，２００が、ＰＣ３００，４００，５００を起動（電源オン）させる際には、前述したようにＷＯＬを使用するため、ここでは説明しない。
図５は、ＰＣの画像転送プログラムを起動させる場合のプロトコルとパケットデータの説明図であり、（ａ）は、プロジェクターのプロトコルの説明図、（ｂ）は、ＰＣのプロトコルの説明図である。
【００７８】
図５（ａ）に示すように、プロジェクター１００，２００がＰＣ３００，４００に対して画像転送プログラムの起動要求を行う際には、プロトコルの階層は、プロトコルスタックＰＳ１のようになっている。また、このときのアプリケーション層のパケットデータは、パケットデータＰＴ１のような内容になっている。
【００７９】
図５（ｂ）に示すように、ＰＣ３００，４００がプロジェクター１００，２００に対して画像転送プログラムの起動応答を行う際には、プロトコルの階層は、プロトコルスタックＰＳ２のようになっている。また、このときのアプリケーション層のパケットデータは、パケットデータＰＴ２のような内容になっている。
【００８０】
図６は、ＰＣの画像転送プログラムに画像コンテンツを再生させる場合のプロトコルとパケットデータの説明図であり、（ａ）は、プロジェクターのプロトコルの説明図、（ｂ）は、ＰＣのプロトコルの説明図である。
【００８１】
図６（ａ）に示すように、プロジェクター１００，２００がＰＣ３００，４００に対して画像コンテンツの再生開始要求を行う際には、プロトコルの階層は、プロトコルスタックＰＳ３のようになっている。また、このときのアプリケーション層のパケットデータは、パケットデータＰＴ３のような内容になっている。
【００８２】
図６（ｂ）に示すように、ＰＣ３００，４００がプロジェクター１００，２００に対して画像コンテンツの再生開始結果応答を行う際には、プロトコルの階層は、プロトコルスタックＰＳ４のようになっている。また、このときのアプリケーション層のパケットデータは、パケットデータＰＴ４のような内容になっている。
【００８３】
また、上記シーケンスには表されていないが、プロジェクターがＰＣをシャットダウン（電源オフ）する際の処理について説明する。
図７は、ＰＣをシャットダウンさせる場合のプロトコルとパケットデータの説明図であり、（ａ）は、プロジェクターのプロトコルの説明図、（ｂ）は、ＰＣのプロトコルの説明図である。
【００８４】
図７（ａ）に示すように、プロジェクター１００，２００がＰＣ３００，４００，５００に対してシャットダウン要求を行う際には、プロトコルの階層は、プロトコルスタックＰＳ５のようになっている。また、このときのアプリケーション層のパケットデータは、パケットデータＰＴ５のような内容になっている。
【００８５】
図７（ｂ）に示すように、ＰＣ３００，４００，５００がプロジェクター１００，２００に対してシャットダウンの応答を行う際には、プロトコルの階層は、プロトコルスタックＰＳ６のようになっている。また、このときのアプリケーション層のパケットデータは、パケットデータＰＴ６のような内容になっている。
【００８６】
なお、記載は省略するが、第１プロトコルを使用して、プロジェクター１００，２００が、ＰＣ３００，４００，５００の電源状態の確認を行ったり、画像転送プログラムの起動状態を確認したり、画像コンテンツの再生状態を確認したりすることも可能である。さらに、画像転送プログラムの終了を行ったり、画像コンテンツの再生停止を行ったりすることも可能である。
【００８７】
上述した実施形態によれば、以下の効果が得られる。
（１）プロジェクター１００は、ネットワークＮＷ経由でＰＣ３００およびＰＣ４００に対してＷＯＬを行い、ＰＣ３００およびＰＣ４００を起動させる。さらに、プロジェクター１００は、ネットワークＮＷ経由で、ＰＣ３００に対して画像転送プログラム３３０ｂを起動させる。同様に、プロジェクター２００はＰＣ５００をネットワークＮＷ経由で起動させる。また、プロジェクター２００は、ＰＣ４００の画像転送プログラムをネットワークＮＷ経由で起動させる。このように、プロジェクター１００，２００は、ネットワークＮＷを介して接続された複数のＰＣを起動させたり、画像通信プログラムを起動させたりすることが可能である。つまり、プロジェクターは、ネットワークＮＷ経由で複数のＰＣに対して、詳細な制御を行うことができるため、利便性が高い。
【００８８】
（２）プロジェクター１００は、ＰＣ３００の画像転送プログラム３３０ｂが起動した後、ネットワークＮＷ経由で、画像転送プログラム３３０ｂに画像コンテンツの送信を開始させる。同様に、プロジェクター２００は、ネットワークＮＷ経由で、ＰＣ４００の画像転送プログラムに画像コンテンツの再生を開始させる。これにより、プロジェクター１００，２００は、ネットワークＮＷを介して接続されたＰＣ３００，ＰＣ４００の画像転送プログラムに、画像コンテンツの再生を開始させ、再生された画像コンテンツに基づく画像信号を受信して、画像を投写することが可能になるため、利便性が高い。
【００８９】
（３）プロジェクター１００，２００は、スケジュール情報１３０ａと計時部１２２の計時情報に基づいて、プロジェクター自身を起動したり、画像入力ソースを切り替えたり、ＰＣ３００，４００，５００を起動させたり、動作を制御したりする。これにより、スケジュールに従って、プロジェクター自身だけでなく、ＰＣの制御を行うことが可能になるため、利便性が高い。また、プロジェクターの内部時計とＰＣの内部時計が一致していない場合にも、起動や画像投写のタイミングがずれることがないため、有効である。このような態様のプロジェクターシステム１は、所定の時刻に所定の画像を投写するデジタルサイネージ等に有効である。
【００９０】
なお、上述した実施形態に限定されず、種々の変更や改良等を加えて実施することが可能である。変形例を以下に述べる。
【００９１】
（変形例１）上記実施形態では、プロジェクター２台、ＰＣ３台で構成されたプロジェクターシステム１を例として説明したが、プロジェクターやＰＣの数はこれに限定するものではない。
【００９２】
（変形例２）上記実施形態では、プロジェクター１００の計時部１２２は、カレンダー機能および時計機能を有しているものとしたが、カレンダー機能は有していないものとしてもよい。つまり、計時部１２２は、日付の計時は行わず、時刻の計時のみを行うものとしてもよい。
【００９３】
（変形例３）上記実施形態では、ＰＣ３００，４００，５００は、パーソナルコンピューターとしたが、パーソナルコンピューターに限定するものではない。ＷＯＬに対応しており、第１プロトコルが使用可能であれば、他の画像供給装置としてもよい。また、ＷＯＬや第１プロトコルに対応したプロジェクターであれば、プロジェクターが他のプロジェクターを制御してもよい。
【００９４】
（変形例４）上記実施形態では、プロジェクター１００，２００を例にして説明しているが、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【００９５】
（変形例５）上記実施形態では、光源装置１１１は、放電型の光源ランプ１１１ａを有して構成されているが、ＬＥＤ（Light Emitting Diode）光源やレーザー等の固体光源や、その他の光源を用いることもできる。
【００９６】
（変形例６）上記実施形態では、プロジェクター１００，２００は、光変調装置として、透過型の液晶ライトバルブ１１２Ｒ，１１２Ｇ，１１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９７】
１…プロジェクターシステム、１００，２００…プロジェクター、１１０…画像投写部、１１１…光源装置、１１１ａ…光源ランプ、１１１ｂ…リフレクター、１１２Ｒ，１１２Ｇ，１１２Ｂ…液晶ライトバルブ、１１３…投写レンズ、１１４…液晶駆動部、１２０…制御部（通信制御部）、１２１…操作部、１２２…計時部、１３０…記憶部、１３０ａ…スケジュール情報（スケジュール記憶部）、１３０ｂ…ＰＣ識別情報、１４０…画像入力部、１４１…通信部、１５０…画像処理部、３００，４００，５００…ＰＣ（画像供給装置）、３２０…制御部、３２１…操作部、３３０…記憶部、３３０ａ…制御信号解釈プログラム、３３０ｂ…画像転送プログラム（画像送信プログラム）、３４０…画像生成部、３５０…画像出力部、３５１…通信部、３６０…表示部、Ｂ１，Ｂ２…バス、ＮＷ…ネットワーク。
【図１】
2013225741.tif 000003
【図２】
2013225741.tif 000004
【図３】
2013225741.tif 000005
【図４】
2013225741.tif 000006
【図５】
2013225741.tif 000007
【図６】
2013225741.tif 000008
【図７】
2013225741.tif 000009